(57)【要約】【課題】放射線画像検出器であるＦＰＤカセッテに内蔵されている電源の更なる省電化を可能とした放射線画像撮影システムを得る。【解決手段】放射線発生装置により発生し被検体を透過した放射線を検出して画像データを生成する放射線画像検出器と、放射線画像検出器との間で通信を行うコンソールと、を有し、放射線画像検出器は、無線通信手段と、電池とを有し、放射線画像検出器の無線通信手段の起動周期をＬ［ｍｓ］、放射線画像検出器の無線通信手段の起動している時間をＸ［ｍｓ］、コンソールの無線通信手段の送信周期をＮ［ｍｓ］としたとき、  Ｎ＜Ｌ  Ｎ＜Ｘを満足するように設定されている放射線画像撮影システムとする。【選択図】図６
2010240184.tif 000002
【特許請求の範囲】
【請求項１】
放射線発生装置により発生し被検体を透過した放射線を検出して画像データを生成する放射線画像検出器と、
前記放射線画像検出器と通信を行うコンソールと、を有する放射線画像撮影システムにおいて、
前記放射線画像検出器は、無線通信手段と、電池とを有し、
前記放射線画像検出器の無線通信手段の起動周期をＬ［ｍｓ］、
前記放射線画像検出器の無線通信手段の起動している時間をＸ［ｍｓ］、
前記コンソールの無線通信手段の送信周期をＮ［ｍｓ］としたとき、
Ｎ＜Ｌ
Ｎ＜Ｘ
を満足するように設定されていることを特徴とする放射線画像撮影システム。
【請求項２】
放射線発生装置により発生し被検体を透過した放射線を検出して画像データを生成する放射線画像検出器と、
前記放射線画像検出器と通信を行うコンソールと、を有する放射線画像撮影システムにおいて、
前記放射線画像検出器は、無線通信手段と、電池とを有し、
前記放射線画像検出器の無線通信手段の起動している時間をＸ［ｍｓ］、
前記放射線画像検出器の無線通信手段の起動周期をＬ［ｍｓ］、
前記コンソールの無線通信手段の送信周期をＮ［ｍｓ］、
前記コンソールの無線通信手段の送信回数をＭ［回］（但し、Ｍは２以上の整数）、
前記コンソールの、前記放射線画像検出器からの応答の許容遅れ時間をＷ［ｍｓ］としたとき、
Ｎ＜Ｘ
Ｌ＜Ｎ×Ｍ
Ｌ≦Ｗ
を満足するように設定されていることを特徴とする放射線画像撮影システム。
【請求項３】
前記設定は、前記放射線画像検出器と前記コンソールとの間で、少なくともコマンド通信に用いられることを特徴とする請求項１又は２に記載の放射線画像撮影システム。
【請求項４】
前記無線通信手段の通信方式は、ＺｉｇＢｅｅ方式又は、Ｂｌｕｅｔｏｏｔｈ方式であることを特徴とする請求項１から請求項３までのいずれか一項に記載の放射線画像撮影システム。
【発明の詳細な説明】
【技術分野】
【０００１】
本発明は、無線通信を行う可搬型の放射線画像検出器と、当該放射線画像検出器を用いる放射線画像撮影システムに関するものである。
【背景技術】
【０００２】
従来より、病気診断等を目的として、Ｘ線画像に代表される放射線を用いて撮影された放射線画像が広く用いられている。
【０００３】
こうした医療用の放射線画像は、従来は感光体としてフィルムを用いて撮影されていたが、近年では、放射線画像のデジタル化が実現されており、例えば、被検体を透過した放射線を輝尽性蛍光体層が形成された輝尽性蛍光体シートに蓄積させた後、この輝尽性蛍光体シートをレーザ光で走査し、これにより輝尽性蛍光体シートから発光される輝尽光を光電変換して画像データを得るＣＲ（Ｃｏｍｐｕｔｅｄ  Ｒａｄｉｏｇｒａｐｈｙ）装置が普及している。
【０００４】
更には、ＣＲ装置に代えて、照射された放射線を検出しデジタル画像データとして取得する検出器として放射線固体撮像素子（ＦＰＤ：Ｆｌａｔ  Ｐａｎｅｌ  Ｄｅｔｅｃｔｏｒ）を用いるものが登場しており、ＣＲ装置のカセッテ同様に可搬型に構成されたカセッテ型のＦＰＤ（以下、ＦＰＤカセッテと称す）も用いられるようになっている。
【０００５】
ＦＰＤカセッテには、可搬型のメリットを生かすため検出器内に電源供給手段として電池が、またコンソール等の外部装置との通信手段として無線通信手段が設けられているものがある。
【０００６】
このようなＦＰＤカセッテを用いたＸ線デジタル撮影装置として、制御部や画像信号を授受するための無線用送受信手段を有し、撮影部の送受信手段は放射線入射面に対して裏向きに指向性を有したアンテナを有する放射線画像撮影装置が知られている（例えば、特許文献１参照）。
【先行技術文献】
【特許文献】
【０００７】
【特許文献１】特開２００３−２１０４４４号公報
【発明の概要】
【発明が解決しようとする課題】
【０００８】
ＦＰＤカセッテは、可搬型のメリットを生かすためカセッテ内に電池等の電源を有している。このような内部に電源部を有するＦＰＤカセッテにおいては、頻繁な電池交換や充電を必要とするのでは、迅速な撮影及び診断を行う際の障害となる。しかし、ＦＰＤカセッテは従来の装置と互換性を持たせるため筐体のサイズを変更し大きくすることは困難であり、より大型の大容量の電源を内包させることは容易ではない。このためＦＰＤカセッテ内の消費電力の削減が急務となっている。
【０００９】
上記の特許文献１に記載の放射線画像撮影装置におけるＦＰＤカセッテは、このような電源の問題については考慮されておらず、例えば、撮影の為にセットされたＦＰＤカセッテは、いつ来るかわからないコンソール等の外部装置からのコマンドの受信に備え、常に起動していなくてはならず、実際の撮影前から不要な電力消費を強いられる問題がある。
【００１０】
本発明は上記問題に鑑み、ＦＰＤカセッテに内蔵されている電源の省電化を可能とし、同容量の電源であっても、より多くの回数の撮影が可能な放射線画像撮影システムを得ることを目的とするものである。
【課題を解決するための手段】
【００１１】
上記の課題は、下記の構成により達成される。
【００１２】
（１）放射線発生装置により発生し被検体を透過した放射線を検出して画像データを生成する放射線画像検出器と、前記放射線画像検出器と通信を行うコンソールと、を有する放射線画像撮影システムにおいて、前記放射線画像検出器は、無線通信手段と、電池とを有し、前記放射線画像検出器の無線通信手段の起動周期をＬ［ｍｓ］、前記放射線画像検出器の無線通信手段の起動している時間をＸ［ｍｓ］、前記コンソールの無線通信手段の送信周期をＮ［ｍｓ］としたとき、
Ｎ＜Ｌ
Ｎ＜Ｘ
を満足するように設定されていることを特徴とする放射線画像撮影システム。
【００１３】
（２）放射線発生装置により発生し被検体を透過した放射線を検出して画像データを生成する放射線画像検出器と、前記放射線画像検出器と通信を行うコンソールと、を有する放射線画像撮影システムにおいて、前記放射線画像検出器は、無線通信手段と、電池とを有し、前記放射線画像検出器の無線通信手段の起動している時間をＸ［ｍｓ］、前記放射線画像検出器の無線通信手段の起動周期をＬ［ｍｓ］、前記コンソールの無線通信手段の送信周期をＮ［ｍｓ］、前記コンソールの無線通信手段の送信回数をＭ［回］（但し、Ｍは２以上の整数）、前記コンソールの、前記放射線画像検出器からの応答の許容遅れ時間をＷ［ｍｓ］としたとき、
Ｎ＜Ｘ
Ｌ＜Ｎ×Ｍ
Ｌ≦Ｗ
を満足するように設定されていることを特徴とする放射線画像撮影システム。
【００１４】
（３）前記設定は、前記放射線画像検出器と前記コンソールとの間で、少なくともコマンド通信に用いられることを特徴とする前記（１）又は前記（２）に記載の放射線画像撮影システム。
【００１５】
（４）前記無線通信手段の通信方式は、ＺｉｇＢｅｅ方式又は、Ｂｌｕｅｔｏｏｔｈ方式であることを特徴とする前記（１）から前記（３）までのいずれかに記載の放射線画像撮影システム。
【発明の効果】
【００１６】
本発明によれば、放射線画像検出器であるＦＰＤカセッテに内蔵されている電源の更なる省電化が可能となり、同容量の電源であっても、より多くの回数の撮影が可能な放射線画像撮影システムを得ることが可能となる。
【図面の簡単な説明】
【００１７】
【図１】本実施の形態に係る放射線画像撮影システムの概略構成を示す図である。
【図２】ＦＰＤカセッテとコンソールの要部構成を示すブロック図である。
【図３】ＦＰＤカセッテの内部を示す斜視図である。
【図４】本実施の形態に係る放射線画像撮影システムの動作概略の一例を示すフローチャートである。
【図５】本実施の形態に係る放射線画像撮影システムの動作概略の一例を示すフローチャートである。
【図６】本実施の形態に係る放射線画像撮影システムのコンソールとＦＰＤカセッテとの間の無線による通信動作タイミング設定の第１の例を模式的に示した図である。
【図７】本実施の形態に係る放射線画像撮影システムのコンソールとＦＰＤカセッテとの間の無線による通信動作タイミング設定の第２の例を模式的に示した図である。
【発明を実施するための形態】
【００１８】
以下、実施の形態により本発明を詳しく説明するが、本発明はこれに限定されるものではない。
【００１９】
図１は、本実施の形態に係る放射線画像撮影システム１の概略構成を示す図である。
【００２０】
同図に示すように、本実施の形態に係る放射線画像撮影システム１は、病院や医院内で行われる放射線画像の撮影を想定したシステムであり、放射線画像検出器であるＦＰＤカセッテ６と、このＦＰＤカセッテ６と無線通信可能な制御装置であるコンソール７を有している。１００は撮影室であり、放射線撮影に関する操作を行う撮影操作装置４、無線通信を行うためのアクセスポイント５、放射線照射装置３、ルータ９、を備えている。
【００２１】
アクセスポイント５は、放射線照射装置３を備えた撮影室の所定領域内でＦＰＤカセッテ６とコンソール７とが無線通信する際に、これらの通信を中継する機能をもつ。
【００２２】
なお、本実施の形態に係る放射線画像撮影システム１における、ＦＰＤカセッテ６とコンソール７との通信方式としては、コマンド通信用として低消費電力であるＺｉｇＢｅｅ方式やＢｌｕｅｔｏｏｔｈ方式が好ましく、撮影した詳細画像の伝送用としては高速の無線ＬＡＮ（例えば、ＩＥＥＥ８０１．１１ａ／ｂ／ｇ／ｎ準拠の通信方式）やＣｅｒｔｉｆｉｅｄ  Ｗｉｒｅｌｅｓｓ  ＵＳＢが好ましいが、これに限るものでなく、１種の無線通信方式で通信するシステムであってもよい。なお、アクセスポイント５を経由せず、ＦＰＤカセッテ６とコンソール７とで、直接的に無線通信を行う通信システムであってもよい。
【００２３】
放射線照射装置３は、臥位撮影台１１に横たわっている被検体である患者１２に対して放射線（例えば、Ｘ線）を照射するようになっており、臥位撮影台１１の下方には、ＦＰＤカセッテ６を装着する検出装置装着口１１ａが設けられている。放射線照射装置３は、撮影操作装置４により制御されて所定の撮影条件で放射線撮影を行うようになっている。
【００２４】
また、同図に示すように、撮影操作装置４と、アクセスポイント５と、コンソール７とは、ネットワークＮＷを通じて接続されて構成されている。なお、不図示であるが、放射線画像撮影システム１は、患者診断情報や会計情報を一元管理するＨＩＳ（Ｈｏｓｐｉｔａｌ  Ｉｎｆｏｒｍａｔｉｏｎ  Ｓｙｓｔｅｍ）や放射線診療の情報を管理するＲＩＳ（Ｒａｄｉｏｌｏｇｙ  Ｉｎｆｏｒｍａｔｉｏｎ  Ｓｙｓｔｅｍ）とネットワークＮＷを介して接続されている。ネットワークＮＷは、当該システム専用の通信回線であってもよいが、システム構成の自由度が低くなってしまう等の理由のため、イーサネット（登録商標）等の既存の回線である方が好ましい。
【００２５】
図２は、ＦＰＤカセッテ６とコンソール７の要部構成を示すブロック図である。
【００２６】
ＦＰＤカセッテ６は撮像部６Ａ、制御部６０、画像記憶部６６０、及び送受信部６５などからなる。撮像部６Ａは放射線画像信号を取得する機能を有する。制御部６０は、ＦＰＤカセッテ６の各部を統括的に制御する機能を有し、制御プログラムやデータ等を記憶するＲＯＭ、制御プログラムに従って制御部６０の制御を実行するＣＰＵ、ＣＰＵがワークエリアとして利用するＲＡＭ、等から構成されている。画像記憶部６６０は、撮像部６Ａが撮像した画像信号を記憶するＲＡＭなどからなる。送受信部６５は、コンソール７７等との通信を行う。電源である電池６６は、ＦＰＤカセッテ６の各部に電力を供給するものであり、充電式、交換式のいずれであってもよい。また、電源としては電池以外にキャパシタ等であってもよい。
【００２７】
コンソール７は、コンソール制御部７０、送受信部７５、表示部７７、入力操作部７８、画像記憶部７６０を備えて構成されている。コンソール制御部７０は、コンソール７の各部を統括的に制御する機能を有し、制御プログラムやデータ等を記憶するＲＯＭ、制御プログラムに従ってコンソール制御部７０の制御を実行するＣＰＵ、ＣＰＵがワークエリアとして利用するＲＡＭ、等から構成されている。
【００２８】
表示部７７は、例えば、ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）等で構成され、コンソール制御部７０から送られる表示信号の指示に従って、ＦＰＤカセッテ６で撮影した画像信号、撮影条件の情報、患者リスト、各種のメッセージや画像等、各種画面を表示するものである。
【００２９】
入力操作部７８は、例えば、キーボードやマウス等から構成されており、キーボードで押下操作されたキーの押下信号やマウスによる操作信号を入力信号としてコンソール制御部７０に対して出力するものである。なお、入力操作部７８は、いわゆる、タッチパネルにより構成されていてもよい。そして入力操作部７８により撮影条件の情報の入力を行う。ここでいう撮影条件の情報とは、放射線量や放射線検出感度情報等のことである。例えば、放射線照射装置３から照射する放射線量は、撮影部位や患者の条件によって異なる。また、放射線検出感度情報は撮影に用いるＦＰＤカセッテ６に対応しており、ＦＰＤカセッテ６に使用されている発光層６４の種類や検出素子６２０の性能によって異なる放射線検出感度を有することになる。
【００３０】
画像記憶部７６０は、撮像部６Ａが撮像した画像信号や画像信号に基づいて得られた画像データや、コンソール７が処理を施して得た画像信号や画像信号に基づいて得られた画像データなどを記憶するＲＡＭなどからなる。送受信部７５は、ＦＰＤカセッテ６等との通信を行う。
【００３１】
図３は、ＦＰＤカセッテ６の内部を示す斜視図である。
【００３２】
同図示すように、ＦＰＤカセッテ６は、内部を保護する筐体６１を有しており、カセッテとして運搬可能に、すなわち可搬に構成されている。筐体６１の内部には、照射された放射線を電気信号に変換する撮像パネル６２が層を成して形成されている。この撮像パネル６２における放射線の照射面側には、入射された放射線の強度に応じて発光を行う発光層６４が設けられている。また撮像パネル全体の大きさは、例えば大角、半切、六切り等の撮影サイズに対応している。
【００３３】
発光層６４は、一般にシンチレータ層と呼ばれるものであり、例えば、蛍光体を主たる成分とし、入射した放射線に基づいて、波長が３００ｎｍから８００ｎｍの電磁波、すなわち、可視光線を中心に紫外光から赤外光にわたる電磁波（光）を出力する。
【００３４】
撮像パネル６２は、発光層６４の放射線が照射される側の面と反対側の面に設けられ、発光層６４から出力された電磁波（光）を電気エネルギーに変換して蓄積し、蓄積された電気エネルギーに基づく画像信号の出力を行う検出素子がマトリクス状に配列されている。撮像パネル６２に蓄積された電荷は、走査駆動回路６０９、読出回路６０８により読み出され、画像信号や画像信号に基づいて得られた画像データとして画像記憶部６６０に記憶され、制御部６０の制御により送受信部６５から、アクセスポイント５を介してコンソール７へ送信される。電源である電池６６は、ＦＰＤカセッテ６の各部に電力を供給するものであり、充電式、交換式のいずれであってもよい。また、電源としては電池以外にキャパシタ等であってもよい。
【００３５】
図４及び図５は、本実施の形態に係る放射線画像撮影システムの動作概略の一例を示すフローチャートである。以下、図４、図５に示すフローに従い動作概略を説明する。
【００３６】
図４に示すフローチャートにおいては、予め、撮影に使用するＦＰＤカセッテ６が撮影位置に配置され、このカセッテＩＤがコンソール７から入力されており、使用するＦＰＤカセッテ６が特定されており、ＦＰＤカセッテ６の無線通信手段はスリープモードとなっているものとする。このスリープモードとは、無線通信手段が所定の設定時間で起動されていない状態（スリープ状態）と起動状態とを繰り返すものである。また、撮像パネル６２等については起動されていない状態となっている。
【００３７】
まず、コンソール７は、患者情報の検索（ステップＳ１０１）を行い、上述の放射線診療の情報を管理するＲＩＳからの検査情報結果を受けて、検査部位の選択（ステップＳ１０２）が行われる。次いで、ＦＰＤカセッテ６に対してコンソール７側から無線にてＦＰＤカセッテ６を起動させる起動信号が送信される（ステップＳ１０３）。このとき、画像データの送信先となるコンソール７のコンソールＩＤや撮影オーダ情報も送信される事が好ましい。なお、コンソール７が１台しかなく、コンソールＩＤを使用しなくても画像データの送信先が特定される場合には、コンソールＩＤを送信する必要はない。
【００３８】
ＦＰＤカセッテ６は、コンソール７からの起動信号を受信する（ステップＳ２０３）と、ＦＰＤカセッテ６を起動（ステップＳ２０４）させ、撮影準備状態へ移行させる。すなわち、コンソール７からの起動信号を受信すると、ＦＰＤカセッテ６の無線通信手段はスリープモードを解除し、常時起動しているモードに遷移する。更に、ＦＰＤカセッテ６内の撮像パネル６２を含む各部に電源が供給されて起動動作が行われる。
【００３９】
次いで、ＦＰＤカセッテ６から、コンソール７へ無線にて各部の起動が完了したことを通知する起動完了信号を送信する（ステップＳ２０５）。コンソール７では、起動完了信号を受信（ステップＳ１０５）すると、ＦＰＤカセッテ６が準備完了状態になったことを付随の表示部に表示する（ステップＳ１０６）。
【００４０】
一方、放射線照射装置３においては、撮影待機状態とするための２段スイッチの第１段目ＳＷ１がＯＮされるのを待機（ステップＳ３０１）しており、オペレータである技師により該スイッチの第１段目ＳＷ１がＯＮされる（ステップＳ３０１；Ｙｅｓ）と、該スイッチの第１段目ＳＷ１がＯＮされたことをコンソール７に伝達する（ステップＳ３０２）。
【００４１】
コンソール７では、この放射線照射装置３からのスイッチＳＷ１のＯＮの情報を受けると、ＦＰＤカセッテ６へ無線にて撮影準備の要求を送信する（ステップＳ１０７）。ＦＰＤカセッテ６はコンソール７からの撮影準備要求を受信する（ステップＳ２０７）と、蓄積電荷のリセットを行う（ステップＳ２０８）。蓄積電荷のリセットとは、ＦＰＤカセッテ６内の撮像パネルに、暗電流ノイズ等により既に蓄積されている電荷を掃き出してクリアすることである。
【００４２】
ＦＰＤカセッテ６は蓄積電荷のリセット後、無線にて撮影準備が完了したことを送信する（ステップＳ２０９）。コンソール７では、ＦＰＤカセッテ６の撮影準備完了を受信（ステップＳ１０９）すると、放射線照射装置３のインターロックを解除する（ステップＳ１１０）。すなわち、放射線照射装置３の照射禁止ロックが解除される。また、このとき、放射線照射装置３で照射する放射線量等の撮影条件が伝達される。
【００４３】
放射線照射装置３では、インターロックが解除されると、放射線照射装置３に接続された２段スイッチの第２段目ＳＷ２がＯＮされるのを待機（ステップＳ３０３）し、該スイッチの第２段目ＳＷ２がＯＮされる（ステップＳ３０３；Ｙｅｓ）と、該スイッチの第２段目ＳＷ２がＯＮされたことをコンソール７に伝達する（ステップＳ３０３）。
【００４４】
この後、放射線が曝射（ステップＳ３１０）され、ＦＰＤカセッテ６内の撮像パネルは発光層から出力された光を電気エネルギーに変換して蓄積する。すなわち、撮像パネルに画像情報の蓄積が行われる（ステップＳ２１０）。
【００４５】
放射線照射装置３は、所定の撮影条件での放射線の曝射を終了して停止し、停止したことをコンソール７に伝達する（ステップＳ３１１）。
【００４６】
以降は、図５に示すフローとなる。
【００４７】
図５に示すように、撮影が終了すると、コンソール７からＦＰＤカセッテ６へ、無線にて画像読み取りの要求を送信（ステップＳ１１１）し、ＦＰＤカセッテ６がこれを受信（ステップＳ２１１）すると、画像読み取りが行われる（ステップＳ２１２）。この画像読み取りとは、撮像パネルの個々の画素に蓄積された電荷を、走査駆動回路、読出回路により読み出し、画像記憶部に記憶することであり、読み出された画像信号は、画像データとしてＲＡＷ画像データと間引き画像データを生成して記憶しておくことが好ましい。なお、画像データは、これに限らず、圧縮された画像データであってもよい。
【００４８】
ＦＰＤカセッテ６内での画像読み取りが終了すると、ＦＰＤカセッテ６からコンソール７へ、無線にて画像読み取りが完了したことを送信する（ステップＳ２１３）。コンソール７側では画像読み取りの完了を受信（ステップＳ１１３）すると、コンソール７からＦＰＤカセッテ６へ、無線にて撮影された画像の送信要求が送信される（ステップＳ１１４）。ＦＰＤカセッテ６では、コンソール７からの画像送信要求を受信（ステップＳ２１４）すると、画像データ（ＲＡＷ画像データと間引き画像データ）の送信（ステップＳ２１５）を行い、コンソール７側では画像データの受信（ステップＳ１１５）が行われる。
【００４９】
なお、ＦＰＤカセッテ６からコンソール７への画像の送信は、間引き画像データを先に送信し、その後、ＲＡＷ画像データを送信することが好ましい。
【００５０】
次いで、コンソール７からＦＰＤカセッテ６へ、無線にて暗画像データの送信要求がなされ（ステップＳ１１６）、ＦＰＤカセッテ６側でこれを受信する（ステップＳ２１６）と、ＦＰＤカセッテ６は、暗画像データを取得する（ステップＳ２１７）。暗画像データの取得とは、撮像パネルの各画素毎のノイズレベルデータの取得を意味し、放射線の曝射を行わずに撮像パネルを所定時間駆動して、撮像パネルの個々の画素に蓄積された電荷を、走査駆動回路、読出回路により読み出し、画像記憶部に記憶することである。
【００５１】
暗画像データの取得後、ＦＰＤカセッテ６からコンソール７へ、無線にて暗画像データを送信（ステップＳ２１８）し、コンソール７で受信（ステップＳ１１７）する。
【００５２】
コンソール７側では、受信した画像データと暗画像データに基づいて、画像を補正し、プレビュー画像を表示部に表示する（ステップＳ１１９）。その後、オペレータが画像補正（ステップＳ１２０）、補正後の画像表示（ステップＳ１２１）、画像処理（ステップＳ１２２）を行い、得られた画像に基づき、再撮影が必要か否か判断する（ステップＳ１２３）。得られた画像が不満足で再撮影が必要な場合は（ステップＳ１２３；Ｙｅｓ）再撮影を行うため、ステップＳ１０６へ戻り、上記と同様の動作を行う。
【００５３】
得られた画像でよい場合（ステップＳ１２３；Ｎｏ）は、得られた画像データを保存する（ステップＳ１２４）。この保存は、例えばネットワーク上に配置されたサーバー等に保存されることが好ましいが、コンソール７内の記憶部に保存してもよい。
【００５４】
次いで、他の部位の画像も撮影予定であり連続撮影の要ありか否か判断（ステップＳ１２５）し、連続撮影の要あり（ステップＳ１２５；Ｙｅｓ）の場合には、ステップＳ１０１へ戻り、上記と同様の動作を行う。連続撮影の要なしの場合（ステップＳ１２５；Ｎｏ）には、コンソール７からＦＰＤカセッテ６へ、無線にてスリープモードへの遷移許可を送信（ステップＳ１２６）し、ＦＰＤカセッテ６は、この送信を受信（ステップＳ２２６）すると常時起動しているモードからスリープモードへ状態遷移（ステップＳ２２７）を行う。
【００５５】
以上が、本実施の形態に係る放射線画像撮影システムの動作概略の一例である。
【００５６】
なお、ＦＰＤカセッテ６からの画像データの送信については、ＲＡＷ画像データと間引き画像データを、一つのステップで送信する例で説明したが、これに限るものでなく、例えば間引き画像データを先に送信して表示部に間引き画像データの画像を早期に表示させつつ、追ってＲＡＷ画像データと暗画像データを共に送信するような動作としてもよい。
【００５７】
また、間引き画像データとＲＡＷ画像データを送信する例で説明したが、これに限るものでなく、例えば間引き画像データと該間引き画像データで間引きされた補間データを送信し、コンソール７側で合成するようなものでもよい。また、ＲＡＷ画像データから生成された詳細画像データと詳細画像データから生成された間引き画像データを圧縮して送信するようなものでもよい。
【００５８】
以下、本実施の形態に係る放射線画像撮影システムの、コンソール７と放射線画像検出器であるＦＰＤカセッテ６との間の無線通信に関して説明する。
【００５９】
図６は、本実施の形態に係る放射線画像撮影システムのコンソール７とＦＰＤカセッテ６との間の無線による通信動作タイミング設定の第１の例を模式的に示した図である。
【００６０】
図６に示すように、コンソール７側からは、例えば、同じコマンド（図示では、コマンドＡ）が送信周期Ｎ［ｍｓ］で繰り返し送信される。一方、ＦＰＤカセッテ６側は、スリープ状態と起動状態が所定の起動周期Ｌ［ｍｓ］で繰り返されるようになっている。同図では、起動時間をＸ［ｍｓ］、スリープしている時間は（Ｌ−Ｘ）［ｍｓ］である。
【００６１】
コンソール７側から送信周期Ｎで送信が行われているため、複数回の同じコマンドＡの送信のうち、ＦＰＤカセッテ６側が起動している起動時間Ｘ中に送信されたコマンドＡが、ＦＰＤカセッテ６側で受信される。ＦＰＤカセッテ６側からは、このコマンドＡに対する応答Ａが送信される。
【００６２】
コンソール７側では該応答Ａを受けた後、コンソール７側での該応答Ａに対する処理や、院内の別システム等との通信やオペレータである技師の操作の対応処理等を行うために、不定の時間ＦＰＤカセッテ６側との通信を休止した後、次のコマンド（図示では、コマンドＢ）が送信周期Ｎで繰り返し送信される。
【００６３】
同様に、ＦＰＤカセッテ６側が起動している起動時間Ｘ中に送信されたコマンドＢが、ＦＰＤカセッテ６側で受信され、ＦＰＤカセッテ６側からは、このコマンドＢに対する応答Ｂが送信される。
【００６４】
コンソール７側では該応答Ｂを受けて、上記と同様にコンソール７側での該応答Ｂに対する処理や、院内の別システム等との通信やオペレータである技師の操作の対応処理等を行うために、不定の時間ＦＰＤカセッテ６側との通信を休止した後、次のコマンドが送信周期Ｎで繰り返し送信されることになる。
【００６５】
本例では、ＦＰＤカセッテ６がスリープと起動を繰り返すよう構成され、コンソール７側からは、複数回にわたり送信する同一コマンドの何れかが、ＦＰＤカセッテ６側で受信されるように、
Ｎ＜Ｌ        （１）
Ｎ＜Ｘ        （２）
を満足するように設定されている。
【００６６】
上記式（１）及び（２）を満足するように時間設定を行うことで、撮影に使用するＦＰＤカセッテ６が撮影位置に配置された状態であっても、ＦＰＤカセッテ６に内蔵されている電池の更なる省電化を行うことができる。例えば、Ｌ＝１００ｍｓ、Ｘ＝２５ｍｓ、Ｎ＝２０ｍｓとすることで、待機状態にあるＦＰＤカセッテ６に内蔵されている電池の無線通信に関する電力消耗は、ＦＰＤカセッテ６が撮影位置に配置された状態で無線通信部が常時起動している場合に対し２５％の電力消耗となり、７５％の省電力化が可能となる。
【００６７】
なお、上述のように、コンソール７側では不定の通信休止時間があるため、コンソール７側のコマンド送信内容に対するＦＰＤカセッテ６側の応答のタイムラグや、相互のタイミングの不適合等により、コンソール７側から送信されるコマンドに対し、ＦＰＤカセッテ６からの応答をコンソール７側で受信できなかった場合、コンソール７側から送信される同一コマンドの送信を再度行い、この再送信を所定時間行っても、ＦＰＤカセッテ６からの応答が無い場合には、通信機能又はＦＰＤカセッテ６に何らかの異常が発生したと見なし、コンソール７側の表示部にＦＰＤカセッテ６の交換を促す表示を行うことが好ましい。
【００６８】
図７は、本実施の形態に係る放射線画像撮影システムのコンソール７とＦＰＤカセッテ６との間の無線による通信動作タイミング設定の第２の例を模式的に示した図である。
【００６９】
図７に示すように、ＦＰＤカセッテ６側は、スリープ状態と起動状態が所定の起動周期Ｌで繰り返されるようになっている。同図では、起動時間がＸ、スリープしている時間は（Ｌ−Ｘ）である。
【００７０】
本例においては、コンソール７側からの送信周期Ｎで、送信回数Ｍ回（Ｍは２以上の整数）の送信が１サイクルに設定されている。また、ＦＰＤカセッテ６側からの応答遅れを許容するために、コンソール７側では、送信開始から時間Ｗの許容遅れ時間が設定され、この時間Ｗ内のＦＰＤカセッテ６側からの応答が受信可能となるよう設定されている。
【００７１】
これらの時間設定は、以下に示す条件
Ｘ：ＦＰＤカセッテ６側の無線通信手段の起動している時間［ｍｓ］
Ｌ：ＦＰＤカセッテ６側の無線通信手段の起動周期［ｍｓ］
Ｎ：コンソール７側の無線通信手段の送信周期［ｍｓ］
Ｍ：コンソール７側の無線通信手段の送信回数［回］（Ｍは２以上の整数）
Ｗ：コンソール７側の、ＦＰＤカセッテ６からの応答の許容遅れ時間［ｍｓ］
としたとき、
Ｎ＜Ｘ            （２）
Ｌ＜Ｎ×Ｍ        （３）
Ｌ≦Ｗ            （４）
を満足するように設定されている。
【００７２】
このような設定において、コンソール７とＦＰＤカセッテ６との通信に関しては、図６と同様に、コンソール７側から送信周期Ｎで送信が行われているため、送信回数Ｍ回の同じコマンドＡの送信のうち、ＦＰＤカセッテ６側が起動している起動時間Ｘ中に送信されたコマンドＡが、ＦＰＤカセッテ６側で受信される。ＦＰＤカセッテ６側からは、このコマンドＡに対する応答Ａが送信される。
【００７３】
コンソール７側では該応答Ａを受けた後、コンソール７側での該応答Ａに対する処理や、院内の別システム等との通信やオペレータである技師の操作の対応処理等を行うために、不定の時間ＦＰＤカセッテ６側との通信を休止した後、次のコマンド（図示では、コマンドＢ）が送信周期Ｎで、同様の条件で繰り返し送信される。
【００７４】
同様に、ＦＰＤカセッテ６側が起動している起動時間Ｘ中に送信されたコマンドＢが、ＦＰＤカセッテ６側で受信され、ＦＰＤカセッテ６側からは、このコマンドＢに対する応答Ｂが送信される。
【００７５】
コンソール７側では該応答Ｂを受けて、上記と同様にコンソール７側での該応答Ｂに対する処理や、院内の別システム等との通信やオペレータである技師の操作の対応処理等を行うために、不定の時間ＦＰＤカセッテ６側との通信を休止した後、次のコマンドが送信周期Ｎで繰り返し送信されることになる。
【００７６】
例えば、上記（２）〜（４）式の値を、Ｗ＝１００ｍｓ、Ｍ＝５回、Ｌ＝９５ｍｓ、Ｘ＝２５ｍｓ、Ｎ＝２０ｍｓとすることで、待機状態にあるＦＰＤカセッテ６に内蔵されている電池の無線通信に関する電力消耗は、ＦＰＤカセッテ６が撮影位置に配置された状態で無線通信部が常時起動している場合に対し２６％の電力消耗となり、７４％の省電力化が可能となり、撮影に使用するＦＰＤカセッテ６が撮影位置に配置された状態であっても、ＦＰＤカセッテ６に内蔵されている電源である電池の更なる省電化が可能となる。
【００７７】
加えて、コンソール７側のＦＰＤカセッテ６側からの応答の許容遅れ時間Ｗを、ＦＰＤカセッテ６側の起動周期Ｌと同じか、より長く設定することにより、ＦＰＤカセッテ６側との通信を不定の時間中断しても、中断後の通信に際しても、コンソール７側でＦＰＤカセッテ６側からの応答を確実に受信することが可能となり、より通信の信頼性を向上させることが可能となる。加えて、院内の別システムやオペレータの操作等の割り込みがあっても、許容遅れ時間Ｗの時間を確保することで、ＦＰＤカセッテ６側からの応答を確実に受信することが可能となり、より通信の信頼性を向上させることが可能となる。
【００７８】
上記の、図６又は図７において説明した通信の時間設定は、図４及び図５に示すフローチャートのうち、コンソール７側のステップＳ１０３及び、ＦＰＤカセッテ６側のステップＳ２０３のコマンド通信までの間、適用する例で説明したが、これに限るものでない。例えば、ステップＳ２１５及びステップＳ２１８のＦＰＤカセッテ６側からの画像データ及び暗画像データの送信以外のすべてのコマンド通信に適用したものであってもよい。
【符号の説明】
【００７９】
１  放射線画像撮影システム
３  放射線照射装置
５  アクセスポイント
６  ＦＰＤカセッテ（放射線画像検出器）
６Ａ  撮像部
７  コンソール
６０  制御部
６１  筐体
６２  撮像パネル
６４  発光層
６５  送受信部
６６  電池
７０  コンソール制御部
７５  送受信部
７７  表示部
７８  入力操作部
１００  撮影室
【図１】
2010240184.tif 000003
【図２】
2010240184.tif 000004
【図３】
2010240184.tif 000005
【図４】
2010240184.tif 000006
【図５】
2010240184.tif 000007
【図６】
2010240184.tif 000008
【図７】
2010240184.tif 000009